(57)【要約】【課題】トイレットペーパーロールを引きちぎる際に、残部の先端が、美麗な円弧状をなすようにすることができるとともに、トイレットペーパーを、簡単かつ安全に引きちぎることができるようにしたトイレットペーパーホルダーを提供する。【解決手段】ほぼ垂直の取付片２の両側端に設けた左右１対の側片３をもって、トイレットペーパーロール５を回転自在に枢支し、かつ基端部が取付片２に枢着された上部カバー６をもって、トイレットペーパーロール５の上方を覆うようにしたトイレットペーパーホルダーにおいて、上部カバー６の先端部に、先端部が凸型円弧状をなしてトイレットペーパーロール５の外周面に圧接するようにしたカッターアタッチメント８の基部を、着脱可能として装着する。【選択図】図１
0003133670.tif 000002
【実用新案登録請求の範囲】
【請求項１】
ほぼ垂直の取付片の両側端に設けた左右１対の側片をもって、トイレットペーパーロールを回転自在に枢支し、かつ基端部が前記取付片に枢着された上部カバーをもって、前記トイレットペーパーロールの上方を覆うようにしたトイレットペーパーホルダーにおいて、
前記上部カバーの先端部に、先端部が凸型円弧状をなして前記トイレットペーパーロールの外周面に圧接するようにしたカッターアタッチメントの基部を、着脱可能として装着したことを特徴とするトイレットペーパーホルダー。
【請求項２】
カッターアタッチメントの基部に、上部カバーの先端部が嵌合するスリットと、このスリットに嵌合された上部カバーの先端部を抜け止めする抜け止め手段とを設けた請求項１記載のトイレットペーパーホルダー。
【請求項３】
抜け止め手段を、上部カバーの先端部に設けた凹部に係合する弾性係合爪とした請求項２記載のトイレットペーパーホルダー。
【請求項４】
カッターアタッチメントの先端における凸型円弧状の縁に、鋸歯状の刃を設けた請求項１〜３のいずれかに記載のトイレットペーパーホルダー。
【考案の詳細な説明】
【技術分野】
【０００１】
本考案は、トイレットペーパーを、残部の先端が、美麗な円弧状をなすようにして、引きちぎることができるようにしたトイレットペーパーホルダーに関する。
【背景技術】
【０００２】
従来のトイレットペーパーホルダーには、ほぼ垂直の取付片の両側端に設けた左右１対の側片をもって、トイレットペーパーロールを回転自在に枢支し、かつ基端部が取付片に枢着された上部カバーをもって、トイレットペーパーロールの上方を覆うようにしたものがある(例えば特許文献１参照)。
【特許文献１】実開平７−１４９９５号公報
【考案の開示】
【考案が解決しようとする課題】
【０００３】
しかし、特許文献１に記載されているトイレットペーパーホルダーでは、上部カバーの先端縁が、トイレットペーパーロールの軸線と平行をなしているため、トイレットペーパーを、その先端縁に沿って引きちぎった際、トイレットペーパーの残部の先端が単なる直線状をなし、その先端が視認し難く、また次回の引き出し時に、その先端部をつかみ難い。
【０００４】
そこで、次の使用者のために、トイレットペーパーの残部の先端部を、山形になるように折り畳んでおくことが、一種のマナーとなっているが、その作業は煩雑である。
【０００５】
本考案は、従来の技術が有する上記のような問題に鑑み、トイレットペーパーロールを引きちぎる際に、残部の先端が、美麗な円弧状をなすようにすることができるとともに、トイレットペーパーを、簡単かつ安全に引きちぎることができるようにしたトイレットペーパーホルダーを提供することを目的としている。
【課題を解決するための手段】
【０００６】
本考案によると、上記課題は次のようにして解決される。
(１)ほぼ垂直の取付片の両側端に設けた左右１対の側片をもって、トイレットペーパーロールを回転自在に枢支し、かつ基端部が前記取付片に枢着された上部カバーをもって、前記トイレットペーパーロールの上方を覆うようにしたトイレットペーパーホルダーにおいて、前記上部カバーの先端部に、先端部が凸型円弧状をなして前記トイレットペーパーロールの外周面に圧接するようにしたカッターアタッチメントの基部を、着脱可能として装着する。
【０００７】
(２)上記(１)項において、カッターアタッチメントの基部に、上部カバーの先端部が嵌合するスリットと、このスリットに嵌合された上部カバーの先端部を抜け止めする抜け止め手段とを設ける。
【０００８】
(３)上記(２)項において、抜け止め手段を、上部カバーの先端部に設けた凹部に係合する弾性係合爪とする。
【０００９】
(４)上記(１)〜(３)項のいずれかにおいて、カッターアタッチメントの先端における凸型円弧状の縁に、鋸歯状の刃を設ける。
【考案の効果】
【００１０】
本考案によると、次のような効果を奏することができる。
請求項１記載の考案によると、上部カバーの先端部に、先端部が凸型円弧状をなして、トイレットペーパーロールの外周面に圧接するようにしたカッターアタッチメントの基部を、着脱可能として装着してあるので、トイレットペーパーを、カッターアタッチメントの先端縁に沿って引きちぎることにより、残部の先端を美麗な円弧状とすることができ、従来のように、残部の先端を、山形に折り畳むことなく、美観を保つことができる。
また、カッターアタッチメントの先端が円弧状をなしているので、安全である。
さらに、既存のペーパーホルダーの上部カバーにも、カッターアタッチメントを簡単に装着することができる。
【００１１】
請求項２記載の考案によると、カッターアタッチメントの基部に、上部カバーの先端部が嵌合するスリットと、このスリットに嵌合された上部カバーの先端部を抜け止めする抜け止め手段とを設けてあるので、トイレットペーパーの引きちぎり時等に、カッターアタッチメントが、上部カバーから外れるのを防ぐことができる。
【００１２】
請求項３記載の考案によると、抜け止め手段を、上部カバーの先端部に設けた凹部に係合する弾性係合爪としてあるので、カッターアタッチメントを上部カバーに、簡単に装着することができる。
【００１３】
請求項４記載の考案によると、カッターアタッチメントの先端における凸型円弧状の縁に、鋸歯状の刃を設けてあるので、トイレットペーパーを、容易かつ美麗に引きちぎることができる。
【考案を実施するための最良の形態】
【００１４】
以下、本考案の実施形態を、図面に基づいて説明する。
図１および図２に示すように、このトイレットペーパーホルダーは、壁面Ａに、複数の固定ねじ１をもって固着されたほぼ垂直の取付片２を備えている。
【００１５】
取付片２の両側部には、前方を向く左右１対の側片３、３が突設されており、この両側片３、３の先端部により、左右方向を向く軸４が、着脱自在に挾持されている。
【００１６】
トイレットペーパーロール５は、筒状のロール芯５ａの回りに、トイレットペーパー５ｂを巻き付けたものよりなり、ロール芯５ａを軸４に外嵌することにより、両側片３、３間において、軸４を中心として回転自在に枢支されている。
【００１７】
取付片２の両側上部に突設した前向突片２ａ、２ａには、軸４に枢支されたトイレットペーパーロール５の上面を覆う上部カバー６の基端部が、左右方向を向く軸７をもって枢着されている。
【００１８】
上部カバー６は、前下方に向かってなだらかに湾曲し、その前端部には、硬質合成樹脂製のカッターアタッチメント８が装着されている。
カッターアタッチメント８の後端には、上部カバー６の前端部が嵌合するスリット９と、このスリット９に嵌合された上部カバー６の前端部を抜け止めする抜け止め手段１０とが設けられている。
【００１９】
この例では、抜け止め手段１０は、上部カバー６の前端両側部に設けた左右１対の角孔とした凹部１１、１１に係合する左右１対の弾性係合爪１２、１２としてある。
【００２０】
カッターアタッチメント８の先端部は、平面視において凸型円弧状をなし、自重と上部カバー６の重量とにより、トイレットペーパーロール５の外周面に圧接するようになっている。
【００２１】
使用に際しては、片手で、上部カバー６またはカッターアタッチメント８を、トイレットペーパーロール５の外周面に軽く押し付けた状態で、もう片方の手で、繰り出したトイレットペーパー５ｂを、カッターアタッチメント８の前端縁に沿って引きちぎればよい。
【００２２】
すると、トイレットペーパー５ｂの残部の先端が、カッターアタッチメント８の前端縁と同形の美麗な円弧状に切断され、使用後に、トイレットペーパー５ｂの残部の先端部を、山形をなすように折り畳むことなく、美観を保つことができるとともに、次に使用する人が、トイレットペーパー５ｂの先端部を容易につまんで、繰り出すことができる。
【００２３】
また、カッターアタッチメント８の先端が凸型円弧状をなしており、しかもカッターアタッチメント８が合成樹脂により形成されているので、ここに他物が衝突しても、それを傷つけるおそれが少なく、安全である。
【００２４】
なお、カッターアタッチメント８の先端における円弧状の縁には、必要に応じて、図３に示すように、鋸歯状の刃１３を設けてもよい。この刃１３を設けることにより、トイレットペーパー５ｂを、この刃１３に沿って、容易に、かつ美麗に引きちぎることができる。
【図面の簡単な説明】
【００２５】
【図１】本考案の一実施形態を斜め前方より見た斜視図である。
【図２】図１のII―II線に沿う縦断側面図である。
【図３】カッターアタッチメントの変形例の拡大斜視図である。
【符号の説明】
【００２６】
Ａ  壁面
１  固定ねじ
２  取付片
２ａ前向突片
３  側片
４  軸
５  トイレットペーパーロール
５ａロール芯
５ｂトイレットペーパー
６  上部カバー
７  軸
８  カッターアタッチメント
９  スリット
１０  抜け止め手段
１１  凹部
１２  弾性係合爪
１３  刃
【図１】
0003133670.tif 000003
【図２】
0003133670.tif 000004
【図３】
0003133670.tif 000005